(57)【要約】【課題】広範な部位に対する放射線の累積線量を適切に管理することができる投与線量管理装置等を提供する。【解決手段】テンプレートへの入力操作に基づいて、ターゲットとなる部位への照射線量と、候補への照射線量との比としての線量比率の入力を受け付ける。入力された前記候補の線量比率に従った線量比率テーブルを用いて部位ごとに照射線量を算出し、算出された照射線量を部位ごとに積算して部位ごとの累積線量を算出する。【選択図】図１
2014188321.tif 000002
【特許請求の範囲】
【請求項１】
放射線治療における放射線の投与線量を管理する投与線量管理装置において、
ターゲットとなる部位への放射線の照射時に、放射線の照射を受ける部位となる候補を、前記ターゲットとなる部位と対応付けて規定するテンプレートと、
前記テンプレートへの入力操作に基づいて、前記テンプレートに規定された前記候補について、前記ターゲットとなる部位への照射線量と、前記候補への照射線量との比としての線量比率の入力を受け付ける受付手段と、
前記受付手段を介して入力された前記候補の線量比率に従った線量比率テーブルを作成する作成手段と、
前記作成手段により作成された前記線量比率テーブルを用いて部位ごとに照射線量を算出する照射線量算出手段と、
前記照射線量算出手段により算出された照射線量を部位ごとに積算して部位ごとの累積線量を算出する累積線量算出手段と、
を備え、
前記線量比率テーブルは、前記ターゲットとなる部位が共通であっても、放射線照射ごとに前記線量比率が異なるテーブルとして作成され、
前記照射線量算出手段は、個々の放射線照射における前記ターゲットとなる部位への照射線量と、当該放射線照射に対応する前記線量比率テーブルとを用いて部位ごとの放射線量を算出することを特徴とする投与線量管理装置。
【請求項２】
前記テンプレートとして、前記ターゲットとなる部位ごとに共通したテンプレートが用いられることを特徴とする請求項１に記載の投与線量管理装置。
【請求項３】
前記照射線量算出手段は、個々の放射線照射に際して得られる、前記ターゲットとなる部位への照射線量を用いて、リアルタイムに部位ごとの照射線量を算出し、
前記累積線量算出手段は、前記照射線量算出手段により算出された部位ごとの照射線量を用いてリアルタイムに部位ごとの累積線量を算出することを特徴とする請求項１または２に記載の投与線量管理装置。
【請求項４】
放射線治療における放射線の投与線量を管理する投与線量管理方法において、
ターゲットとなる部位への放射線の照射時に、放射線の照射を受ける部位となる候補を、前記ターゲットとなる部位と対応付けて規定するテンプレートを用い、
前記テンプレートへの入力操作に基づいて、前記テンプレートに規定された前記候補について、前記ターゲットとなる部位への照射線量と、前記候補への照射線量との比としての線量比率の入力を受け付ける受付ステップと、
前記受付ステップを介して入力された前記候補の線量比率に従った線量比率テーブルを作成する作成ステップと、
前記作成ステップにより作成された前記線量比率テーブルを用いて部位ごとに照射線量を算出する照射線量算出ステップと、
前記照射線量算出ステップにより算出された照射線量を部位ごとに積算して部位ごとの累積線量を算出する累積線量算出ステップと、
をコンピュータが実行し、
前記線量比率テーブルは、前記ターゲットとなる部位が共通であっても、放射線照射ごとに前記線量比率が異なるテーブルとして作成され、
前記照射線量算出ステップでは、個々の放射線照射における前記ターゲットとなる部位への照射線量と、当該放射線照射に対応する前記線量比率テーブルとを用いて部位ごとの放射線量を算出することを特徴とする投与線量管理方法。
【請求項５】
前記テンプレートとして、前記ターゲットとなる部位ごとに共通したテンプレートが用いられることを特徴とする請求項４に記載の投与線量管理方法。
【請求項６】
前記照射線量算出ステップでは、個々の放射線照射に際して得られる、前記ターゲットとなる部位への照射線量を用いて、リアルタイムに部位ごとの照射線量を算出し、
前記累積線量算出ステップでは、前記照射線量算出ステップにより算出された部位ごとの照射線量を用いてリアルタイムに部位ごとの累積線量を算出することを特徴とする請求項４または５に記載の投与線量管理方法。
【発明の詳細な説明】
【技術分野】
【０００１】
本発明は、放射線治療における放射線の投与線量を管理する投与線量管理装置等に関する。
【背景技術】
【０００２】
放射線治療を実施する際には、病歴情報、予約情報、治療計画情報、照射録情報、治療効果情報など、放射線治療に関連する様々な情報を取り扱うシステムが用いられている。例えば、放射線治療の計画を策定し、あるいは放射線治療の実績を管理するシステムとして放射線治療情報システムが使用される。
【０００３】
放射線治療情報システムは、電子カルテを取り扱う病院情報システムから治療依頼伝票を受信するとともに、病院情報システムに対し放射線治療の予約情報や実績情報を送信する。また、放射線治療情報システムは、放射線治療機器に対して照射開始の指示などを行うとともに、放射線治療機器から放射線治療の実績情報を受信する。
【先行技術文献】
【特許文献】
【０００４】
【特許文献１】特許第４６６４６６１号公報
【特許文献２】特開２０００−７０３８９号公報
【特許文献３】特開２００３−７０９２１号公報
【発明の概要】
【発明が解決しようとする課題】
【０００５】
体の各部位は、その組織学的な特徴により、放射線に対する耐用線量は様々であり一様ではない。また、各々の放射線治療計画における照射範囲は、腫瘍部や周辺リンパ節にとどまらず、予防を目的として他の正常組織まで含めることも珍しくない。
【０００６】
しかし従来のシステムでは、腫瘍部に対する現在までの累積線量管理は行えるが、予防目的の照射による累積線量や、ターゲット以外への組織に対する累積線量を管理することは困難である。また、治療計画に際して照射線量の評価対象となる部位は限定的であり、多数の解剖学的部位について同時に照射線量を把握することは困難である。したがって、腫瘍部以外の部位に対する耐用線量を基準とした線量許容度を判定することができない。
【０００７】
本発明の目的は、広範な部位に対する放射線の累積線量を適切に管理することができる投与線量管理装置等を提供することにある。
【課題を解決するための手段】
【０００８】
本発明の投与線量管理装置は、放射線治療における放射線の投与線量を管理する投与線量管理装置において、ターゲットとなる部位への放射線の照射時に、放射線の照射を受ける部位となる候補を、前記ターゲットとなる部位と対応付けて規定するテンプレートと、前記テンプレートへの入力操作に基づいて、前記テンプレートに規定された前記候補について、前記ターゲットとなる部位への照射線量と、前記候補への照射線量との比としての線量比率の入力を受け付ける受付手段と、前記受付手段を介して入力された前記候補の線量比率に従った線量比率テーブルを作成する作成手段と、前記作成手段により作成された前記線量比率テーブルを用いて部位ごとに照射線量を算出する照射線量算出手段と、前記照射線量算出手段により算出された照射線量を部位ごとに積算して部位ごとの累積線量を算出する累積線量算出手段と、を備え、前記線量比率テーブルは、前記ターゲットとなる部位が共通であっても、放射線照射ごとに前記線量比率が異なるテーブルとして作成され、前記照射線量算出手段は、個々の放射線照射における前記ターゲットとなる部位への照射線量と、当該放射線照射に対応する前記線量比率テーブルとを用いて部位ごとの放射線量を算出することを特徴とする。
この投与線量管理装置によれば、テンプレートへの入力操作に基づいて、線量比率テーブルを作成し、線量比率テーブルを用いて部位ごとの累積線量を算出するので、広範な部位に対する放射線の累積線量等を適切に管理することができる。
【０００９】
前記テンプレートとして、前記ターゲットとなる部位ごとに共通したテンプレートが用いられてもよい。
【００１０】
前記照射線量算出手段は、個々の放射線照射に際して得られる、前記ターゲットとなる部位への照射線量を用いて、リアルタイムに部位ごとの照射線量を算出し、前記累積線量算出手段は、前記照射線量算出手段により算出された部位ごとの照射線量を用いてリアルタイムに部位ごとの累積線量を算出してもよい。
【００１１】
本発明の投与線量管理方法は、放射線治療における放射線の投与線量を管理する投与線量管理方法において、ターゲットとなる部位への放射線の照射時に、放射線の照射を受ける部位となる候補を、前記ターゲットとなる部位と対応付けて規定するテンプレートを用い、前記テンプレートへの入力操作に基づいて、前記テンプレートに規定された前記候補について、前記ターゲットとなる部位への照射線量と、前記候補への照射線量との比としての線量比率の入力を受け付ける受付ステップと、前記受付ステップを介して入力された前記候補の線量比率に従った線量比率テーブルを作成する作成ステップと、前記作成ステップにより作成された前記線量比率テーブルを用いて部位ごとに照射線量を算出する照射線量算出ステップと、前記照射線量算出ステップにより算出された照射線量を部位ごとに積算して部位ごとの累積線量を算出する累積線量算出ステップと、をコンピュータが実行し、前記線量比率テーブルは、前記ターゲットとなる部位が共通であっても、放射線照射ごとに前記線量比率が異なるテーブルとして作成され、前記照射線量算出ステップでは、個々の放射線照射における前記ターゲットとなる部位への照射線量と、当該放射線照射に対応する前記線量比率テーブルとを用いて部位ごとの放射線量を算出することを特徴とする。
この投与線量管理方法によれば、テンプレートへの入力操作に基づいて、線量比率テーブルを作成し、線量比率テーブルを用いて部位ごとの累積線量を算出するので、広範な部位に対する放射線の累積線量等を適切に管理することができる。
【００１２】
前記テンプレートとして、前記ターゲットとなる部位ごとに共通したテンプレートが用いられてもよい。
【００１３】
前記照射線量算出ステップでは、個々の放射線照射に際して得られる、前記ターゲットとなる部位への照射線量を用いて、リアルタイムに部位ごとの照射線量を算出し、前記累積線量算出ステップでは、前記照射線量算出ステップにより算出された部位ごとの照射線量を用いてリアルタイムに部位ごとの累積線量を算出してもよい。
【発明の効果】
【００１４】
本発明の投与線量管理装置によれば、テンプレートへの入力操作に基づいて、線量比率テーブルを作成し、線量比率テーブルを用いて部位ごとの累積線量を算出するので、広範な部位に対する放射線の累積線量等を適切に管理することができる。
また、本発明の投与線量管理方法によれば、テンプレートへの入力操作に基づいて、線量比率テーブルを作成し、線量比率テーブルを用いて部位ごとの累積線量を算出するので、広範な部位に対する放射線の累積線量等を適切に管理することができる。
【図面の簡単な説明】
【００１５】
【図１】一実施形態の投与線量管理装置の構成を示すブロック図。
【図２】投与線量管理装置の情報処理部の処理を示すフローチャート。
【図３】線量比率テーブルを例示する図。
【図４】テンプレートを例示する図。
【図５】テンプレートのデータ構造を示す図。
【図６】累積線量テーブルを例示する図。
【発明を実施するための形態】
【００１６】
以下、本発明による投与線量管理装置の一実施形態について説明する。
【００１７】
図１は、本実施形態の投与線量管理装置の構成を示すブロック図である。
【００１８】
図１に示すように、本実施形態の投与線量管理装置１０は、種々の情報を画面表示する表示部１１と、ユーザの入力操作を受け付ける入力部１２と、入力部１２を介する入力操作に応じた種々の情報処理を実行する情報処理部１３と、後述する累積線量テーブルを格納する累積線量格納部１４と、後述する線量比率テーブルを格納するテーブル格納部１５と、線量比率テーブルを作成する際に用いられるテンプレートを格納するテンプレート格納部１６と、を備える。
【００１９】
次に、本実施形態の投与線量管理装置１０の動作について説明する。
【００２０】
図２は、本実施形態の投与線量管理装置の情報処理部１３の処理を示すフローチャートである。
【００２１】
図２のステップＳ１〜ステップＳ６は、情報処理部１３において線量比率テーブルを作成する際の処理を示している。また、図３は線量比率テーブルを例示する図である。
【００２２】
図２のステップＳ１では、入力部１２を介し、放射線を照射する部位（ターゲット）の入力を受け付ける。ここで入力を受け付ける部位は、腫瘍部や周辺リンパ節のほか、予防を目的として放射線を照射する正常組織も含まれる。
【００２３】
次に、ステップＳ２では、テーブル格納部１５にアクセスし、ステップＳ１で入力された部位について、すでに線量比率テーブルが作成され、格納されているか否か判断する。ステップＳ２の判断が肯定されればステップＳ４へ進み、ステップＳ２の判断が否定されればステップＳ３へ進む。
【００２４】
次に、ステップＳ３では、テンプレート格納部１６から所定のテンプレートを取得して表示部１１に表示し、ステップＳ６へ進む。
【００２５】
一方、ステップＳ４では、テンプレート格納部１６から所定のテンプレートを取得して表示部１１に表示する。次に、ステップＳ５では、テーブル格納部１５から線量比率テーブルを取得して表示部１１に表示し、ステップＳ６へ進む。
【００２６】
ステップＳ６では、表示部１１に表示されたテンプレートへの入力操作または表示部１１に表示された線量比率テーブルへの編集操作により、線量比率テーブルへの線量比率の入力を受け付ける。
【００２７】
図３に示すように、線量比率テーブルは、ターゲットとなる部位ごとに作成される。例えば、図３（ａ）はターゲットが前立腺である場合を、図３（ｂ）はターゲットが右肺の「上葉ｓ１」という区域（セクション）である場合を、それぞれ示している。線量比率テーブルはターゲットにある線量（１００％）を照射した場合に、他の部位（区域）に照射される線量の比率を示すテーブルである。例えば、図３（ａ）の例では、ターゲットである前立腺に放射線を照射したときに、前立腺への照射量に対して、直腸に４５％、膀胱に３０％の比率で放射線が照射されることが示されている。同様に図３（ｂ）の例では、ターゲットである右肺の「上葉ｓ１」に放射線を照射したときに、そのターゲットへの照射量に対して、右肺の「上葉ｓ２」に９９％、右肺の「上葉ｓ３」に９８％、左肺の「上葉ｓ３」に９５％、縦隔に９０％の比率で放射線が照射されることなどが示されている。
【００２８】
図４は、ステップＳ６において表示部１１に表示されているテンプレートを例示する図である。図４（ａ）のテンプレートは図３（ａ）の線量比率テーブルに、図４（ｂ）のテンプレートは図３（ｂ）の線量比率テーブルに、それぞれ対応している。
【００２９】
医師などのユーザは、表示部１１に表示されているテンプレートに対して線量比率を入力することにより、線量比率テーブルを作成することができる。図４の例では、ターゲット以外の部位（区域）に対して、０〜１００％の任意の値の線量比率を入力することができる。
【００３０】
図５は、テンプレートのデータ構造を示す図であり、図５（ａ）は図４（ａ）のテンプレートに、図５（ｂ）は図４（ｂ）のテンプレートに、それぞれ対応している。図５に示すように、テンプレートを表示するために、ターゲットとなる部位（区域）と、線量比率を設定すべき候補とが予め対応付けられている。線量比率を設定すべき候補としては、ターゲットの周囲にある部位（区域）、あるいはターゲットへの照射時に放射線の放射領域（ターゲットの前後に位置する領域）となりうる部位（区域）を挙げることができる。このような対応付けは、ターゲットとなりうる部位（区域）のすべて、あるいは一部について用意され、テンプレート格納部１６にテンプレートとして格納することができる。
【００３１】
このようなテンプレートを用いて線量比率テーブルを作成する場合、入力される線量比率は、放射線治療における放射線の照射方法によって異なる。このため、個々の放射方法に応じた線量比率を入力することにより、実際の線量に即した管理が可能となる。
【００３２】
一方、ターゲットとなる部位（区域）についてすでに線量比率テーブルが作成されている場合（ステップＳ２の判断が肯定される場合）には、ステップＳ６において、作成済みの線量比率テーブルを編集することにより、新たな線量比率テーブルを作成することも可能である。また作成済みの線量比率テーブルをそのまま再利用することもできる。
【００３３】
次に、ステップＳ７では、ステップＳ６において作成された線量比率テーブルを、１回ごとの放射線照射を特定する照射ＩＤと対応付けてテーブル格納部１５に格納する。
【００３４】
次に、図２のステップＳ１１〜ステップＳ１７は、情報処理部１３において累積線量を算出し、算出結果を累積線量格納部１４に格納する処理を示している。
【００３５】
図２のステップＳ１１では、放射線照射が行われたか否か判断し、判断が肯定されるのを待って、ステップＳ１２へ進む。ここでは、例えば、図１に示すように、放射線治療装置２０からの治療実績情報に基づいて、ステップＳ１１の判断を行うことができる。
【００３６】
次にステップＳ１２では、ステップＳ１１で認識された放射線照射の照射ＩＤ、患者を特定する患者ＩＤおよびターゲットに対する照射量を取得する。ここでは、例えば、放射線治療装置２０からの治療実績情報に基づいてこれらの情報を得ることができる。
【００３７】
次に、ステップＳ１３では、ステップＳ１２で取得された照射ＩＤに対応付けられた線量比率テーブルを、テーブル格納部１５から取得する。
【００３８】
次に、ステップＳ１４では、線量比率テーブルに基づいて、身体の各部位（各区域）に対する照射量を算出する。ここでは、例えば前立腺をターゲットとする放射線照射が行われた場合には、ステップＳ１２で取得された照射量および図３（ａ）に示すテーブルに従って、前立腺、直腸および膀胱に対する照射量が算出される。
【００３９】
次に、ステップＳ１５では、累積線量格納部１４にアクセスし、ステップＳ１２で取得された患者ＩＤに対応付けられた累積線量テーブルが存在するか否か判断する。この判断が肯定されればステップＳ１６へ進み、この判断が否定されればステップＳ１７へ進む。
【００４０】
ステップＳ１６では、ステップＳ１２で取得された患者ＩＤに対応付けられた累積線量テーブルを累積線量格納部１４から取得する。次いでステップＳ１４で算出された身体の各部位（各区域）に対する照射量を、累積線量テーブルの各項目に加えることで累積線量格納部１４の累積線量テーブルを更新し、ステップＳ１１へ戻る。
【００４１】
一方、ステップＳ１７では、ステップＳ１４で算出された身体の各部位（各区域）に対する照射量を個々の部位（区域）に対する累積線量とする累積線量テーブルを作成し、ステップＳ１２で取得された患者ＩＤに対応付けて累積線量格納部１４に格納する。その後、ステップＳ１１へ戻る。
【００４２】
図６は、累積線量テーブルを例示する図である。
【００４３】
図６に示すように、累積線量テーブルは患者ＩＤ（図６における患者ＩＤ「０００００１」、「０００００２」など）ごとに作成され、当該患者の身体の各部位（各区域）（図６における「右肺  上葉ｓ１」など）に対する累積線量（図６における「２４．３（Ｇｙ）」など）を示すテーブルである。ステップＳ１１〜ステップＳ１７を実行することにより、累積線量テーブルの累積線量の項目が更新され、随時、表示部１１に表示させることができる。これにより、例えば、放射線照射完了時における部位（区域）単位でのリアルタイムな累積線量を表示部１１に表示させることができる。このため、例えば複数の治療計画に基づく治療が混在する場合であっても、正確な累積線量に基づいて新たな治療計画を策定することができる。なお、累積線量テーブルに示された各部位（各区域）の累積線量を表示部１１にグラフィカル表示してもよい。この場合、各部位（各区域）の表示位置や表示形状を人体の構造に対応させるとともに、各部位（各区域）の累積線量を例えば複数の表示色を使い分けて表現することができる。
【００４４】
以上説明したように、上記実施形態の投与線量管理装置によれば、治療計画上に表現される線量評価領域では表すことができない任意の数の解剖学的部位に対する過去から現在に至るまでの累積線量を把握することができる。
【００４５】
また、解剖学的な部位におけるリアルタイムでの累積線量を把握することができるため、転移や再発等の場合における再照射を検討する際に、放射線治療適応となるか否かの判断材料、あるいは最適な治療法を発見するための判断材料として累積線量を利用することができる。
【００４６】
また、ターゲットとなる部位以外の部位であって、照射を受ける可能性のある部位を候補として規定したテンプレートへの入力操作により線量比率テーブルを作成することができるため、線量比率テーブルを作成するための作業負担を軽減することができる。また、テンプレートは照射方法等によらず、ターゲットとなる部位ごとに共通のものが使用されるため、テンプレートの数をいたずらに増加させることもない。
【００４７】
なお、本願発明における「部位」は、本願明細書の実施形態に記載された「部位」および「区域」を含む概念である。
【００４８】
本発明の適用範囲は上記実施形態に限定されることはない。本発明は、放射線治療における放射線の投与線量を管理する投与線量管理装置等に対し、広く適用することができる。
【符号の説明】
【００４９】
１２    入力部（受付手段）
１３    情報処理部（受付手段、作成手段、照射線量算出手段）
【図１】
2014188321.tif 000003
【図２】
2014188321.tif 000004
【図３】
2014188321.tif 000005
【図４】
2014188321.tif 000006
【図５】
2014188321.tif 000007
【図６】
2014188321.tif 000008